(57)【要約】【課題】  強度の高い構造とすることで、薄いシート材であっても高い強度を確保することができ、組み立て易く、保管スペースも極小にすることができる商品展示台を提供することにある。【解決手段】    本発明の商品展示台１では、底部２の辺に連設されて曲げ起こされる第１及び第２の側壁部３，４に第１及び第２の蓋部７，８が連設され、それを折り曲げると底部２の中央付近上方で突き当たり、そこに第１及び第２の支柱部９，１０が連設され、それを折り曲げることでその端辺９ａ，１０ａが底部２に突き当たって支柱となる。このように、商品展示台１の中央付近に第１及び第２の支柱部９，１０が設けられているため、中央の強度を大幅に高めることができる。【選択図】  図２
2019076647.tif 000002
【特許請求の範囲】
【請求項１】
シート材からなり、折り曲げて組み立てることにより箱状の台になる商品展示台であって、
矩形をなす底部と、
該底部の相対する一対の辺に設けられた第１及び第２の折り曲げ線に連設され、該第１及び第２の折り曲げ線にて曲げ起こすことにより側壁となる第１及び第２の側壁部と、
前記底部の相対する他の一対の辺に設けられた第３及び第４の折り曲げ線に連設され、該第３及び第４の折り曲げ線にて曲げ起こすことにより側壁となる第３及び第４の側壁部と、
前記第１及び第２の側壁部における前記第１及び第２の折り曲げ線に相対する辺に設けられた第５及び第６の折り曲げ線に連設され、該第５及び第６の折り曲げ線にて折り曲げることにより前記底部に対面し且つ前記底部の中央付近上方で互いに突き当たる第１及び第２の蓋部と、
該第１及び第２の蓋部における前記第５及び第６の折り曲げ線に相対する辺に設けられた第７及び第８の折り曲げ線に連設され、該第７及び第８の折り曲げ線にて折り曲げることにより端辺が前記底部に突き当たる第１及び第２の支柱部と、
を備えることを特徴とする商品展示台。
【請求項２】
前記第１及び第２の側壁部の側端辺と前記第３及び第４の側壁部の側端辺との間に設けられ、前記第３及び第４の側壁部を前記底部上に折り畳むことにより前記第１及び第２の側壁部の内面に当接接着された第１乃至第４の連結部を備え、該第１乃至第４の連結部は、前記第３及び第４の側壁部を前記底部に重なった状態から起こすと、前記第１及び第２の側壁部を内方に引き上げて起こす請求項１に記載の商品展示台。
【請求項３】
前記第３及び第４の側壁部における前記第３及び第４の折り曲げ線に相対する辺に設けられた第９及び第１０の折り曲げ線に連設され、該第９及び第１０の折り曲げ線にて折り曲げることにより前記底部に対面し且つ前記底部の中央付近上方に位置する部分に前記第１及び第２の支柱部が嵌合する第１及び第２のスリットが設けられた第１及び第２の支柱支持部を備えている請求項１又は２に記載の商品展示台。
【請求項４】
前記第１乃至第４の連結部は矩形又は略三角形又は略扇形をなし、前記第１及び第２の折り曲げ線と前記第３及び第４の折り曲げ線の交点から前記第１乃至歳４の連結部をそれぞれ半分に分割するように伸びる第１１乃至第１４の折り曲げ線が設けられ、前記第１及び第２の側壁部の側端辺と前記第１１乃至第１４の折り曲げ線に挟まれた部分が前記第１及び第２の側壁部の内面に接着されている請求項２に記載の商品展示台。
【発明の詳細な説明】
【技術分野】
【０００１】
本発明は、置き時計等の商品を商品展示用の棚に展示する際に、商品が載置された棚の前端に取り付けられる価格や商品の説明等が記載されたカード等によって、商品が見えにくくなることを防ぐため、商品を載せて嵩上げする商品展示台に関するものであり、特に、紙等のシート材を折り曲げて組み立てるものに関する。
【背景技術】
【０００２】
棚に展示した商品をより高く展示するには、箱等の台座を使用することが一般的であった。しかし、商品毎に台座を用意しなければならず、また、台座を使用しない場合にその保管場所が必要になるという問題があった。そこで、商品を載せる台を折り畳み構造や組立構造にすることで、台の保管スペースを極小にしたものが提案されていた（例えば、特許文献１及び２参照）。
【先行技術文献】
【特許文献】
【０００３】
【特許文献１】特開２０１５−２９８８７号公報
【特許文献２】特開２０１６−１７１９０２号公報
【発明の概要】
【発明が解決しようとする課題】
【０００４】
しかし、上記特許文献１及び２における台では、高さ及び強度を確保することはできず、また、単なる組み立て式の箱では、商品を載せたときの強度を確保することが難しく、箱の内部に補強部材を入れるか或いは硬く厚い段ボールのようなシート材を用いなければならず、部品点数が多くなり、組立難く、見栄えも悪くなるという問題が生じるものであった。
【０００５】
本発明が解決しようとする課題は、上記従来技術の問題点を解決し、強度の高い構造とすることで、薄いシート材であっても高い強度を確保することができ、組み立て易く、保管スペースも極小にすることができる商品展示台を提供することにある。
【課題を解決するための手段】
【０００６】
本発明の商品展示台は、シート材からなり、折り曲げて組み立てることにより箱状の台になる商品展示台であって、矩形をなす底部と、該底部の相対する一対の辺に設けられた第１及び第２の折り曲げ線に連設され、該第１及び第２の折り曲げ線にて曲げ起こすことにより側壁となる第１及び第２の側壁部と、前記底部の相対する他の一対の辺に設けられた第３及び第４の折り曲げ線に連設され、該第３及び第４の折り曲げ線にて曲げ起こすことにより側壁となる第３及び第４の側壁部と、前記第１及び第２の側壁部における前記第１及び第２の折り曲げ線に相対する辺に設けられた第５及び第６の折り曲げ線に連設され、該第５及び第６の折り曲げ線にて折り曲げることにより前記底部に対面し且つ前記底部の中央付近上方で互いに突き当たる第１及び第２の蓋部と、該第１及び第２の蓋部における前記第５及び第６の折り曲げ線に相対する辺に設けられた第７及び第８の折り曲げ線に連設され、該第７及び第８の折り曲げ線にて折り曲げることにより端辺が前記底部に突き当たる第１及び第２の支柱部と、を備えている。
【発明の効果】
【０００７】
本発明の商品展示台では、底部の辺に連設されて曲げ起こされる第１及び第２の側壁部に第１及び第２の蓋部が連設され、それを折り曲げると底部の中央付近上方で突き当たり、そこに第１及び第２の支柱部が連設され、それを折り曲げることでその端辺が底部に突き当たって支柱となる。このように、商品展示台の中央付近に第１及び第２の支柱部が設けられているため、蓋部の上に載置される商品を、側壁部と中央の支柱部で支えることになる。従って、単に側壁部で支える場合に比べて中央の強度を大幅に高めることができる。
【０００８】
また、構造上の強度が高いため、薄いシート材でも十分な強度を得ることができ、組み立て易く、保管スペースも極小にすることができる。
【０００９】
また、側壁部の間に連結部を設けることで、一部の側壁部を底部に重なった状態から起こすだけで、他の側壁部を内方に引き上げて起こすことが可能となり、組立をさらに容易にすることができる。
【００１０】
また、第３及び第４の側壁部に第１及び第２の支柱部が嵌合するスリットが設けられた第１及び第２の支柱支持部を連設しているので、支柱部のズレや曲りを防ぎ、強度と信頼性を高めることができる。
【図面の簡単な説明】
【００１１】
【図１】本発明の一実施形態に係る商品展示台の斜視図である。
【図２】図１に示す商品展示台の蓋部を開いた状態を示す斜視図である。
【図３】図１に示す商品展示台の展開図である。
【図４】図３に示す商品展示台における第３及び第４の側壁部を内側に折り曲げて底部に重ねた状態を示す平面図である。
【図５】図４に示す商品展示台における第３及び第４の側壁部を起こすことで第１及び第２の側壁部を内側に引き起こした状態を示す平面図である。
【図６】図５に示す商品展示台の側面図である。
【図７】図５に示す商品展示台における第１及び第２の蓋部を折り曲げて組立を完成させた状態を示す平面図である。
【図８】図７に示す商品展示台のＡ−Ａ断面図である。
【発明を実施するための形態】
【００１２】
本実施形態における商品展示台１は、図１乃至図３に示すように、略十字形状をなす紙等のシート材を折り曲げて箱状に組み立てることにより形成されるものである。この商品展示台１には、その中央に矩形状の底部２が設けられ、その底部２の相対する一対の辺に第１及び第２の折り曲げ線Ｌ１，Ｌ２が設定され、相対する他の一対の辺に第３及び第４の折り曲げ線Ｌ３，Ｌ４が設定されている。
【００１３】
第１及び第２の折り曲げ線Ｌ１，Ｌ２には、第１及び第２の折り曲げ線Ｌ１，Ｌ２にて内側に９０度曲げ起こすことにより側壁となる細長矩形状をなす第１及び第２の側壁部３，４がそれぞれ連設されている。また、第３及び第４の折り曲げ線Ｌ３，Ｌ４には、第３及び第４の折り曲げ線Ｌ３，Ｌ４にて内側に９０度曲げ起こすことにより側壁となる矩形状をなす第３及び第４の側壁部５，６がそれぞれ連設されている。
【００１４】
また、第１及び第２の側壁部３，４における第１及び第２の折り曲げ線Ｌ１，Ｌ２にそれぞれ相対する辺には、第５及び第６の折り曲げ線Ｌ５，Ｌ６が設定されている。この第５及び第６の折り曲げ線Ｌ５，Ｌ６には、第１及び第２の蓋部７，８がそれぞれ連設されている。この第１及び第２の蓋部７，８は、第５及び第６の折り曲げ線Ｌ５，Ｌ６にて内側に９０度折り曲げることにより、底部２に対面し且つ底部２の中央付近上方で互いに突き当たるように、底部２を中央で分断した形状をなすように形成されている。
【００１５】
この第１及び第２の蓋部７，８における第５及び第６の折り曲げ線Ｌ５，Ｌ６にそれぞれ相対する辺には、第７及び第８の折り曲げ線Ｌ７，Ｌ８が設定されている。この第７及び第８の折り曲げ線Ｌ７，Ｌ８には、第１及び第２の支柱部９，１０がそれぞれ連設されている。この第１及び第２の支柱部９，１０は、第７及び第８の折り曲げ線Ｌ７，Ｌ８にて内側に９０度折り曲げることにより、その解放された端辺９ａ，１０ａが底部２の内面に突き当たるように設定されている。
【００１６】
また、第１及び第２の側壁部３，４の側端辺３ｂ，４ｂと第３及び第４の側壁部５，６の側端辺５ｂ，６ｂとの間には、第１乃至第４の連結部１１〜１４が設けられている。この第１乃至第４の連結部１１〜１４は、本実施形態では略扇形をなし、第１及び第２の折り曲げ線Ｌ１，Ｌ２と第３及び第４の折り曲げ線Ｌ３，Ｌ４の交点から第１乃至歳４の連結部１１〜１４をそれぞれ半分に分割するように伸びる第１１乃至第１４の折り曲げ線Ｌ１１〜Ｌ１４が設定されている。本実施形態における第１乃至第４の連結部１１〜１４は、図４に示すように、第３及び第４の側壁部５，６を底部２上に折り畳んだ状態で、第１及び第２の側壁部３，４の側端辺３ｂ，４ｂと第１１乃至第１４の折り曲げ線Ｌ１１〜Ｌ１４に挟まれた部分が第１及び第２の側壁部３，４の内面に接着されている（図４中の黒塗り扇形部分）。
【００１７】
また、第３及び第４の側壁部５，６における第３及び第４の折り曲げ線Ｌ３，Ｌ４に相対する辺には、第９及び第１０の折り曲げ線Ｌ９，Ｌ１０が設定されている。この第９及び第１０の折り曲げ線Ｌ９，Ｌ１０には、第１及び第２の支柱支持部１５，１６がそれぞれ連設されている。この第１及び第２の支柱支持部１５，１６は、第９及び第１０の折り曲げ線Ｌ９，Ｌ１０にて内側に９０度折り曲げることにより、第１及び第２の蓋部７，８の下側に重なるように位置して底部２に対面する。この第１及び第２の支柱支持部１５，１６には、底部２の中央付近上方に位置する部分に第１及び第２の支柱部９，１０が嵌合する第１及び第２のスリット１５ｃ，１６ｃが設けられている。
【００１８】
上記構成からなる本実施形態の商品展示台１は、以下のように組み立てられる。前述したように、第１乃至第４の連結部１１〜１４を第１及び第２の側壁部３，４内面に接着した場合、図４に示すように、第３及び第４の側壁部５，６を底部２上に折り畳んだ状態で保管或いは搬送し、設置するときにこの状態から組み立てる。即ち、はじめに、第３及び第４の側壁部５，６を底面２に重なった状態から起こすと、第１乃至第４の連結部１１〜１４で繋がれた第１及び第２の側壁部３，４が内側に引き上げられて起き上がる。そして、ここで第１及び第２の支柱支持部１５，１６を内側に折り曲げると、図５及び図６に示す状態になる。尚、各部の状態を明確に示すため、第１及び第２の蓋部７，８を外側に開いた状態で図示している。
【００１９】
図５及び図６に示す状態にあるときに、第１及び第２の蓋部７，８を内側に折り曲げると共に第１及び第２の支柱部９，１０を内側に折り曲げる。このときに、第１及び第２の支柱支持部１５，１６の第１及び第２のスリット１５ｃ，１６ｃに第１及び第２の支柱部９，１０を嵌め込んで位置決めする。尚、第１及び第２の支柱部９，１０を第１及び第２の蓋部７，８の間から第１及び第２のスリット１５ｃ，１６ｃに挿入し易くするため、第１及び第２の支柱部９，１０の幅（図中長手方向の長さ）を第１及び第２の蓋部７，８よりも短く設定している。
【００２０】
上記のように組み立てられた商品展示台１では、図７及び図８に示すように、その中央に第１及び第２の支柱部９，１０が位置し、第１及び第２の蓋部７，８の中央付近の端辺を支持することになる。このため、第１及び第２の蓋部７，８の上に商品を載せると、第１及び第２の蓋部７，８が第１及び第２の側壁部３，４だけでなく、第１及び第２の支柱部９，１０でも支持することができるので、強度が高く、商品の重みでつぶれることがない。
【００２１】
また、第１乃至第４の連結部１１〜１４は、第１及び第２の側壁部３，４と第３及び第４の側壁部５，６の間で第１１乃至第１４の折り曲げ線Ｌ１１〜Ｌ１４に沿って内側に折れ曲ることで重なる。これにより、第１乃至第４の側壁部３〜６の端部が補強され、上下方向の荷重に対する強度をより高めることができる。
【００２２】
尚、本実施形態における第１乃至第４の連結部１１〜１４は略扇形に形成されているが、この他、矩形、略三角形等の形状であっても良い。
【符号の説明】
【００２３】
１          商品展示台
２          底部
３，４      第１及び第２の側壁部
５，６      第３及び第４の側壁部
７，８      第１及び第２の蓋部
９，１０    第１及び第２の支柱部
１１〜１４  第１乃至第４の連結部
１５，１６  第１及び第２の支柱支持部
３ｂ〜６ｂ  側端辺
９ａ，１０ａ  端辺
１５ｃ，１６ｃ  第１及び第２のスリット
Ｌ１〜Ｌ１４  第１乃至第１４の折り曲げ線
【図１】
2019076647.tif 000003
【図２】
2019076647.tif 000004
【図３】
2019076647.tif 000005
【図４】
2019076647.tif 000006
【図５】
2019076647.tif 000007
【図６】
2019076647.tif 000008
【図７】
2019076647.tif 000009
【図８】
2019076647.tif 000010